(57)【要約】【課題】本発明は、銀行券、パスポート、有価証券、カード、印紙類等の偽造防止、改竄防止が必要とされる貴重印刷物に適用する真偽判別形成体に関するものである。【解決手段】基材（１ａ）を貫通しない穿孔（３ａ）により形成した穿孔群からなる第１の画像（２ａ）と、基材（１ａ）を貫通する穿孔（３ｃ）により形成した穿孔群からなる第２の画像（２ｃ）を設け、前記第２の画像（２ｃ）を形成する前記基材（１ａ）を貫通する穿孔群の個々の穿孔位置は、前記第１の画像（２ａ）を形成する前記基材（１ａ）を貫通しない穿孔群の個々の穿孔位置に対応して配置される真偽判別形成体である。【選択図】      図３
2005001344.tif 000002
【特許請求の範囲】
【請求項１】
基材を貫通しない穿孔により形成した穿孔群と、基材を貫通する穿孔により形成した穿孔群からなる少なくとも二つの画像を設け、前記少なくとも二つの画像を形成する前記基材を貫通する穿孔群の個々の穿孔位置は、前記基材を貫通しない穿孔群の個々の穿孔位置に対応して配置される真偽判別形成体であって、
前記少なくとも二つの画像を形成する前記基材を貫通する穿孔群の個々の穿孔径は、前記基材を貫通しない穿孔群の個々の穿孔径よりも小さく、且つ、前記少なくとも二つの画像を形成する前記基材を貫通する穿孔群の個々の穿孔は、前記基材を貫通しない穿孔群の個々の穿孔に重なるように配置され、
前記少なくとも二つの画像を形成する前記基材を貫通する穿孔群の個々の穿孔位置は、前記基材を貫通しない穿孔群の個々の穿孔の中心位置を基準とし、前記基準から特定方向及び特定距離に配置され、且つ、前記特定方向はそれぞれの画像毎に異なる方向であることを特徴とする真偽判別形成体。
【請求項２】
基材を貫通しない穿孔により形成した穿孔群と、基材を貫通する穿孔により形成した右眼用の穿孔群及び左眼用の穿孔群からなる少なくとも一つの画像を設け、前記少なくとも一つの画像を形成する前記基材を貫通する前記右眼用の穿孔群及び前記左眼用の穿孔群の個々の穿孔位置は、前記基材を貫通しない穿孔群の個々の穿孔位置に対応して配置される真偽判別形成体であって、前記少なくとも一つの画像を形成する前記基材を貫通する前記右眼用の穿孔群及び前記左眼用の穿孔群の個々の穿孔径は、前記基材を貫通しない穿孔群の個々の穿孔径よりも小さく、且つ、前記少なくとも一つの画像を形成する前記基材を貫通する前記右眼用の穿孔群及び前記左眼用の穿孔群の個々の穿孔は、前記基材を貫通しない穿孔群の個々の穿孔に重なるように配置され、更に、前記右眼用の穿孔群及び前記左眼用の穿孔群は一対となり、
前記真偽判別形成体を特定距離から透過光で観察した場合に、前記少なくとも一つの画像が立体的に視認されることを特徴とする真偽判別形成体。
【請求項３】
貫通する穿孔により形成した穿孔群を有する第１の基材と、貫通する穿孔により形成した穿孔群からなる少なくとも二つの画像を有する第２の基材からなる、前記第２の基材に有する前記少なくとも二つの画像を形成する穿孔群の個々の穿孔位置は、前記第１の基材に有する前記穿孔群の個々の穿孔位置に対応して配置されるように、順次積層してなる真偽判別形成体であって、
前記第２の基材に有する前記少なくとも二つの画像を形成する穿孔群の個々の穿孔径は、前記第１の基材に有する前記穿孔群の個々の穿孔径よりも小さく、且つ、前記第２の基材に有する前記少なくとも二つの画像を形成する穿孔群の個々の穿孔は、前記第１の基材に有する前記穿孔群の個々の穿孔に重なるように配置され、
前記第２の基材に有する前記少なくとも二つの画像を形成する穿孔群の個々の穿孔位置は、前記第１の基材に有する前記穿孔群の個々の穿孔の中心位置を基準とし、前記基準から特定方向及び特定距離に配置され、且つ、前記特定方向はそれぞれの第２の画像毎に異なる方向であることを特徴とする真偽判別形成体。
【請求項４】
貫通しない穿孔により形成した穿孔群を有する第１の基材と、貫通する穿孔により形成した右眼用の穿孔群及び左眼用の穿孔群からなる少なくとも一つの画像を有する第２の基材からなる、前記第２の基材に有する少なくとも一つの画像を形成する前記右眼用の穿孔群及び前記左眼用の穿孔群の個々の穿孔位置は、前記第１の基材に有する前記穿孔群の個々の穿孔位置に対応して配置されるように、順次積層してなる真偽判別形成体であって、
前記第２の基材に有する前記少なくとも一つの画像を形成する前記右眼用の穿孔群及び前記左眼用の穿孔群の個々の穿孔径は、前記第１の基材に有する前記穿孔群の個々の穿孔径よりも小さく、且つ、前記第２の基材に有する前記少なくとも一つの画像を形成する前記右眼用の穿孔群及び前記左眼用の穿孔群の個々の穿孔は、前記第１の基材を貫通しない穿孔群の個々の穿孔に重なるように配置され、更に、前記右眼用の穿孔群及び前記左眼用の穿孔群は一対となり、
前記真偽判別形成体を特定距離から透過光で観察した場合に、前記少なくとも一つの画像が立体的に視認されることを特徴とする真偽判別形成体。
【請求項５】
前記貫通しない穿孔及び前記貫通する穿孔が、基材に対して直角及び特定の角度で斜めの形状の少なくとも一つで形成したことを特徴とする請求項１、２、３又は４記載の真偽判別形成体。
【請求項６】
前記貫通しない穿孔及び前記貫通する穿孔の穿孔ピッチが、それぞれが等しいピッチで配置したことを特徴とする請求項１、２、３、４又は５記載の真偽判別形成体。
【請求項７】
前記貫通しない穿孔及び前記貫通する穿孔の径が５０μｍ〜１０００μｍであることを特徴とする請求項１、２、３、４、５又は６記載の真偽判別形成体。
【請求項８】
前記貫通しない穿孔及び前記貫通する穿孔の形状が円形状、多角形及び特殊な形状の少なくとも１つであることを特徴とする請求項１、２、３、４、５、６又は７記載の真偽判別形成体。
【発明の詳細な説明】
【０００１】
【発明の属する技術分野】
本発明は、銀行券、パスポート、有価証券、カード、印紙類等の偽造防止、改竄防止が必要とされる貴重印刷物に適用する真偽判別形成体に関するものである。
【０００２】
【従来の技術】
銀行券、パスポート、有価証券、カード、印紙類等の貴重印刷物は、その性質上、偽造、変造されにくいことが要求される。この防止策として、これらの貴重印刷物の基材に、複数の穿孔で数字等を形成することは知られている。また、複数の穿孔を有する基材を傾けて観察することにより潜像画像を視認できるようにして真偽判別を行う技術も知られている。
【０００３】
前者は、スイスの銀行券に用いられており、数字を穿孔によって表現している。また、孔の直径は、反射状態においては裸眼でそれらのなすパターンが見えない点に特徴を有する、  安全マークが、透過状態においては見える文書面のパターンを形成する複数個の孔からなる、偽造を防止するための安全マークを備える安全保管文書が開示されている（例えば、特許文献１参照）。
【０００４】
【特許文献１】
特表２０００−５０１０３６号公報（第２頁、第１−２図）
【０００５】
後者は、基材を有し、該基材に形成され、背景部と特定のパターンから成る情報部とを形成する目視しにくい多数の微細な穿孔を有する真偽判別形成体であって、上記背景部を形成する穿孔と上記情報部を形成する穿孔とは、穿孔の形状、寸法及び配列方向の少なくとも一つ以上が異なるように形成されていることを特徴とする真偽判別形成体が開示されている（例えば、特許文献２参照）。
【０００６】
【特許文献２】
特開２０００−２３３５６１号公報（第２頁、第１−２図）
【０００７】
また、特定のパターンで配列されて情報を付与する多数の微細穿孔が形成されたカード基材を有する微細穿孔カードであって、上記微細穿孔は、レーザ加工機により、上記カード基材に対して特定の傾斜角度で貫通して形成された穿孔であり、上記微細穿孔カードの一面側から光を上記微細穿孔カードに対して上記特定の傾斜角度と同じ角度で投光して、上記微細な穿孔を透過させることにより、上記情報がチェックされる構成であることを特徴とする微細穿孔カードが開示されている（例えば、特許文献３参照）
【０００８】
【特許文献３】
特開２００２−１６０４７７号公報（第２頁、第１図）
【０００９】
また、異なった角度で貫通した穿孔で画像を形成することによって両眼視差によって画像が立体的に視認されることが考えられる。
【００１０】
【発明が解決しようとする課題】
上記の従来技術は総じて、基材に穿孔によって数字等を形成するものや、基材に一部の穿孔の形状を異ならせるもの又は一部の穿孔を基材に対して斜めに開けて、透過光で傾けて観察した場合に潜像画像が視認されるものであった。特表２０００−５０１０３６号公報は、穿孔によって数字等を形成しているだけであって、偽造防止技術としては単純で改良の余地があった。また、特開２０００−２３３５６１号公報は、情報部と背景部を組み合わせることで、穿孔群の中に情報部を隠し入れる構成であるため、基材を透過光で傾けて観察したときに傾ける角度を深めなければ潜像画像が明瞭に出現されない恐れがあり、複数の潜像画像を形成することは困難であった。また、特開２００２−１６０４７７号公報は、基材に複数の穿孔からなる穿孔群を設け、穿孔群の一部の穿孔を基材に対して斜めに開けて潜像画像を構成し、基材を透過光で観察することにより潜像画像を視認できるものであり、レーザを垂直に照射し、且つ、基材を水平方向に自動搬送するような大量生産ラインを構成することは容易であるが、基材に斜め穿孔を形成することは、加工機の構成が複雑となり、作製上困難であった。また、異なった角度で貫通した穿孔で画像を形成することによって両眼視差によって画像が立体的に視認されることが考えられるが、異なった角度で貫通した穿孔だけの構成では、鮮明な立体画像を得ることができなかった。
【００１１】
以上のことから、本発明は前述した問題点を解決することを目的としたもので、基材を貫通しない穿孔により形成した穿孔群と、基材を貫通する穿孔により形成した穿孔群からなる画像を設け、画像を形成する基材を貫通する穿孔群の個々の穿孔位置は、基材を貫通しない穿孔群の個々の穿孔位置に対応して配置することによって、透過光で観察した場合に、観察角度によって、明瞭な第２の画像の出現、多方向から異なる第２の画像の出現又は消失、鮮明な立体的な第２の画像の出現がされることを見出した。よって、本発明は真偽判別効果の高い、改ざん、複製防止効果のある真偽判別形成体を提案するものである。
【００１２】
また、を貫通する穿孔により形成した穿孔群を有する第１の基材と、貫通する穿孔により形成した穿孔群からなる画像を有する第２の基材からなる、第２の基材に有する画像を形成する穿孔群の個々の穿孔位置は、第１の基材に有する穿孔群の個々の穿孔位置に対応して配置されるように、順次積層することによって、透過光で観察した場合に、観察角度によって、明瞭な第２の画像の出現、多方向から異なる第２の画像の出現又は消失、鮮明な立体的な第２の画像の出現がされることを見出した。よって、本発明は真偽判別効果の高い、改ざん、複製防止効果のある真偽判別形成体を提案するものである。
【００１３】
【課題を解決するための手段】
本発明は、基材を貫通しない穿孔により形成した穿孔群と、基材を貫通する穿孔により形成した穿孔群からなる少なくとも二つの画像を設け、前記少なくとも二つの画像を形成する前記基材を貫通する穿孔群の個々の穿孔位置は、前記基材を貫通しない穿孔群の個々の穿孔位置に対応して配置される真偽判別形成体であって、前記少なくとも二つの画像を形成する前記基材を貫通する穿孔群の個々の穿孔径は、前記基材を貫通しない穿孔群の個々の穿孔径よりも小さく、且つ、前記少なくとも二つの画像を形成する前記基材を貫通する穿孔群の個々の穿孔は、前記基材を貫通しない穿孔群の個々の穿孔に重なる（この場合の重なるとは、一部又は全部が重なることを言う）ように配置され、前記少なくとも二つの画像を形成する前記基材を貫通する穿孔群の個々の穿孔位置は、前記基材を貫通しない穿孔群の個々の穿孔の中心位置を基準とし、前記基準から特定方向及び特定距離に配置され、且つ、前記特定方向はそれぞれの画像毎に異なる方向であることを特徴とする真偽判別形成体である。この真偽判別形成体を透過光で傾けて観察した場合に、複数の観察角度に対応した複数の画像が視認される。
【００１４】
また、本発明は、基材を貫通しない穿孔により形成した穿孔群と、基材を貫通する穿孔により形成した右眼用の穿孔群及び左眼用の穿孔群からなる少なくとも一つの画像を設け、前記少なくとも一つの画像を形成する前記基材を貫通する前記右眼用の穿孔群及び前記左眼用の穿孔群の個々の穿孔位置は、前記基材を貫通しない穿孔群の個々の穿孔位置に対応して配置される真偽判別形成体であって、前記少なくとも一つの画像を形成する前記基材を貫通する前記右眼用の穿孔群及び前記左眼用の穿孔群の個々の穿孔径は、前記基材を貫通しない穿孔群の個々の穿孔径よりも小さく、且つ、前記少なくとも一つの画像を形成する前記基材を貫通する前記右眼用の穿孔群及び前記左眼用の穿孔群の個々の穿孔は、前記基材を貫通しない穿孔群の個々の穿孔に重なる（この場合の重なるとは、一部又は全部が重なることを言う）ように配置され、更に、前記右眼用の穿孔群及び前記左眼用の穿孔群は一対となり、前記真偽判別形成体を特定距離から透過光で観察した場合に、前記少なくとも一つの画像が立体的に視認されることを特徴とする真偽判別形成体である。
【００１５】
また、本発明は、貫通する穿孔により形成した穿孔群を有する第１の基材と、貫通する穿孔により形成した穿孔群からなる少なくとも二つの画像を有する第２の基材からなる、前記第２の基材に有する前記少なくとも二つの画像を形成する穿孔群の個々の穿孔位置は、前記第１の基材に有する前記穿孔群の個々の穿孔位置に対応して配置されるように、順次積層してなる真偽判別形成体であって、前記第２の基材に有する前記少なくとも二つの画像を形成する穿孔群の個々の穿孔径は、前記第１の基材に有する前記穿孔群の個々の穿孔径よりも小さく、且つ、前記第２の基材に有する前記少なくとも二つの画像を形成する穿孔群の個々の穿孔は、前記第１の基材に有する前記穿孔群の個々の穿孔に重なる（この場合の重なるとは、一部又は全部が重なることを言う）ように配置され、前記第２の基材に有する前記少なくとも二つの画像を形成する穿孔群の個々の穿孔位置は、前記第１の基材に有する前記穿孔群の個々の穿孔の中心位置を基準とし、前記基準から特定方向及び特定距離に配置され、且つ、前記特定方向はそれぞれの第２の画像毎に異なる方向であることを特徴とする真偽判別形成体である。この真偽判別形成体を透過光で傾けて観察した場合に、複数の観察角度に対応した複数の画像が視認される。
【００１６】
また、本発明は、貫通しない穿孔により形成した穿孔群を有する第１の基材と、貫通する穿孔により形成した右眼用の穿孔群及び左眼用の穿孔群からなる少なくとも一つの画像を有する第２の基材からなる、前記第２の基材に有する少なくとも一つの画像を形成する前記右眼用の穿孔群及び前記左眼用の穿孔群の個々の穿孔位置は、前記第１の基材に有する前記穿孔群の個々の穿孔位置に対応して配置されるように、順次積層してなる真偽判別形成体であって、前記第２の基材に有する前記少なくとも一つの画像を形成する前記右眼用の穿孔群及び前記左眼用の穿孔群の個々の穿孔径は、前記第１の基材に有する前記穿孔群の個々の穿孔径よりも小さく、且つ、前記第２の基材に有する前記少なくとも一つの画像を形成する前記右眼用の穿孔群及び前記左眼用の穿孔群の個々の穿孔は、前記第１の基材を貫通しない穿孔群の個々の穿孔に重なる（この場合の重なるとは、一部又は全部が重なることを言う）ように配置され、更に、前記右眼用の穿孔群及び前記左眼用の穿孔群は一対となり、前記真偽判別形成体を特定距離から透過光で観察した場合に、前記少なくとも一つの画像が立体的に視認されることを特徴とする真偽判別形成体である。
【００１７】
また、本発明は、前記貫通しない穿孔及び前記貫通する穿孔が、基材に対して直角及び特定の角度で斜めの形状の少なくとも一つで形成したことを特徴とする真偽判別形成体である。
【００１８】
また、本発明は、前記貫通しない穿孔及び前記貫通する穿孔の穿孔ピッチが、それぞれが等しいピッチで配置したことを特徴とする真偽判別形成体である。
【００１９】
また、本発明は、前記貫通しない穿孔及び前記貫通する穿孔の径が５０μｍ〜１０００μｍであることを特徴とする真偽判別形成体である。
【００２０】
また、本発明は、前記貫通しない穿孔及び前記貫通する穿孔の形状が円形状、多角形及び特殊な形状の少なくとも１つであることを特徴とする真偽判別形成体である。
【００２１】
また、本発明の前記貫通しない穿孔と前記貫通する穿孔が重なる度合が、前記貫通しない穿孔に対して前記貫通する穿孔が内在乃至させて配置したことを特徴とする真偽判別形成体である。
【００２２】
また、本発明の貫通しない穿孔及び前記貫通する穿孔が、深さ方向に伴って、穿孔の直径が小さくなる形状であることを特徴とする真偽判別形成体である。
【００２３】
また、本発明の前記画像が、文字、数字、記号及び絵柄の少なくとも１つであることを特徴とする真偽判別形成体である。
【００２４】
また、本発明は、前記基材を貫通する穿孔により形成した穿孔群からなる画像をカモフラージュするための穿孔を設けたことを特徴とする真偽判別形成体である。
【００２５】
また、本発明は、前記第２の基材を貫通する穿孔により形成した穿孔群からなる画像をカモフラージュするための穿孔を設けたことを特徴とする真偽判別形成体である。
【００２６】
上記記載の特定方向及び特定距離についての説明図を図４０に示す。ここで言う、特定方向とは穿孔（３ａ）の中心位置（Ｐ）に対して穿孔（３ｃ）が形成される方向のことである。特定距離とは穿孔（３ａ）の中心位置（Ｐ）に対して穿孔（３ｃ）が形成される距離のことである。
【００２７】
【発明の実施の形態】
本発明に係る真偽判別形成体の実施の形態を基づいて図面を参照して説明する。本発明の真偽判別形成体の特徴は、基材に形成した２次元に配列された基材を貫通しない穿孔により形成した穿孔群からなる第１の画像と、基材に形成した２次元に配列された基材を貫通する穿孔により形成した穿孔群からなる第２の画像を設け、第２の画像を形成する基材を貫通する穿孔群の個々の穿孔位置は、第１の画像を形成する基材を貫通しない穿孔群の個々の穿孔位置に対応して配置することによって、垂直方向からある一定方向へ傾けて透過光で観察した場合に、明瞭な第２の画像の出現又は消失、立体的な第２の画像の出現するものである。また、第１の基材に形成した２次元に配列された第１の基材を貫通する穿孔により形成した穿孔群からなる第１の画像と、第２の基材に形成した２次元に配列された第２の基材を貫通する穿孔により形成した穿孔群からなる第２の画像を設け、第２の画像を形成する第２の基材を貫通する穿孔群の個々の穿孔位置は、第１の画像を形成する第１の基材を貫通する穿孔群の個々の穿孔位置に対応して配置されるように、第１の基材と第２の基材を順次積層することによって、垂直方向からある一定方向へ傾けて透過光で観察した場合に、明瞭な第２の画像の出現又は消失、立体的な第２の画像の出現するものである。
【００２８】
図１に基材（１ａ）に第１の画像（２ａ）を穿孔（３ａ）により形成した図及びそのＡ−Ａ’断面図を示す。図１に示すように穿孔（３ａ）は基材を貫通することなく、一定の深さ又は複数に定められた深さに形成する必要がある。図２に基材（１ａ）に第２の画像（２ｃ）のみを穿孔（３ｃ）により形成した図及びそのＡ−Ａ’断面図を示す。図２に示すように穿孔（３ｃ）は基材を貫通させる必要がある。図１及び図２に示した穿孔（３ａ）により形成した第１の画像（２ａ）及び穿孔（３ｃ）により形成した第２の画像（２ｃ）が施された真偽判別形成体（４ａ）及びそのＡ−Ａ’断面図を図３及び図４に示す。図３及び図４に示すように基材（１ａ）を貫通する穿孔（３ｃ）が、基材（１ａ）を貫通しない穿孔（３ａ）に重なるようにして、規則的に配置される必要がある。この場合は、基材（１ａ）を貫通する穿孔（３ｃ）は、基材（１ａ）を貫通しない穿孔（３ａ）に対して、内在され、穿孔（３ａ）の中心位置に対して左部に規則的に配置されているが、右部、上部又は下部等に配置しても本発明の効果を奏することができる。つまり、基材（１ａ）を貫通する穿孔（３ｃ）の位置は、基材（１ａ）を貫通しない穿孔（３ａ）の中心位置から特定方向及び特定距離に配置され、基材（１ａ）を貫通しない穿孔（３ａ）内に基材（１ａ）を貫通する穿孔（３ｃ）が設けてあれば良い。
【００２９】
図５は、真偽判別形成体（４ａ）を基材に対して垂直方向から透過光で観察した場合の図を示す。図５に示すように、真偽判別形成体（４ａ）を基材に対して垂直方向から透過光で観察した場合は、観察者は、基材（１ａ）を貫通しない穿孔（３ａ）で形成した第１の画像（２ａ）は基材と同じ色であるため、視認しにくい状況下にある。また、基材（１ａ）を貫通する穿孔（３ｃ）を透過してくる透過光量が強く認識されるため、基材（１ａ）を貫通する穿孔（３ｃ）による第２の画像（２ｃ）を視認することになる。真偽判別形成体（４ａ）を反射光で観察した場合、基材（１ａ）を貫通しない穿孔（３ａ）で形成した第１の画像（２ａ）は基材と同じ色であるため、視認しにくい状況下にあり、基材（１ａ）を貫通する穿孔（３ｃ）を透過してくる透過光を認識できないため、第２の画像（２ｃ）を視認することはできない。
【００３０】
図６（ａ）、（ｂ）は、真偽判別形成体（４ａ）を、図４に示したＸ１方向又はＸ２方向から透過光で観察した場合の図を示す。図６（ａ）は、Ｘ１方向から観察した場合の図である。この場合、Ｘ１方向からは、基材（１ａ）を貫通する穿孔（３ｃ）と基材を貫通しない穿孔（３ａ）を透過してくる光を認識できるため、基材（１ａ）を貫通する穿孔（３ｃ）による第２の画像（２ｃ）を視認することができる（この場合は数字の１である）。図６（ｂ）は、Ｘ２方向から観察した場合の図である。この場合、Ｘ２方向からは、基材（１ａ）を貫通する穿孔（３ｃ）と基材（１ａ）を貫通しない穿孔（３ａ）を透過してくる光をほとんど認識できないため、基材（１ａ）を貫通する穿孔（３ｃ）による第２の画像（２ｃ）を視認することができない。
【００３１】
第２の画像の観察可能な方向については、図７に示すように基材（１ａ）を貫通しない穿孔（３ａ）内に配置された基材（１ａ）を貫通する穿孔（３ｃ）の配置位置に依存する。つまり、図７のＡ−Ａ’断面図に示すように、基材（１ａ）を貫通しない穿孔（３ａ）に対して、基材（１ａ）を貫通する穿孔（３ｃ）がＹ１側に規則的に配置された場合は、透過光でＸ０方向、又は、透過光でＸ１方向から観察することができ、Ｙ２側に規則的に配置された場合は、透過光でＸ０方向、又は、透過光でＸ２方向から観察することができる。
【００３２】
次に、透過光で異なる方向から、それぞれ画像が異なるパターンで視認できる真偽判別形成体（４ｂ）を図９に示す。まず、基材には図８に示すように基材を貫通しない穿孔（３ａ）で形成した第１の画像（２ａ）を設ける。図９（ａ）乃至図９（ｅ）に示すような異なる方向から異なる第２の画像を出現させるためには、図８に示すように第２の画像（２ｃ１）、第２の画像（２ｃ２）、第２の画像（２ｃ３）及び第２の画像（２ｃ４）の４つの画像を合成して、基材（１ａ）を貫通する穿孔（３ｃ）によって第２の画像（２ｃ）を形成する必要があり、基材（１ａ）に設ける第２の画像（２ｃ）を構成した基材（１ａ）を貫通する穿孔（３ｃ）は、基材（１ａ）を穿孔しない穿孔（３ａ）内に規則的に配置する必要がある。つまり、第２の画像（２ｃ１）、第２の画像（２ｃ２）、第２の画像（２ｃ３）及び第２の画像（２ｃ４）を形成する基材（１ａ）を貫通する穿孔（３ｃ）の位置は、基材（１ａ）を貫通しない穿孔（３ａ）の中心位置からそれぞれ異なる方向で特定距離に配置されてあれば良い。
【００３３】
観察方向については、基材（１ａ）を貫通する穿孔（３ｃ）が、図８に示すように穿孔（３ａ）に対してＹ１位置に規則的に配置（この場合、画像２ｃ１）された場合は、透過光でＸ１、Ｘ３又はＸ４方向から観察することが必要であり、Ｙ２位置に規則的に配置（この場合、画像２ｃ２）された場合は、透過光でＸ２、Ｘ３又はＸ４方向から観察することが必要であり、Ｙ３位置に規則的に配置（この場合、画像２ｃ３）された場合は、透過光でＸ１、Ｘ２又はＸ３方向から観察することが必要であり、Ｙ４位置に規則的に配置（この場合、画像２ｃ４）された場合は、透過光でＸ１、Ｘ２又はＸ４方向から観察することが必要である。
【００３４】
よって、このような基材（１ａ）を貫通する穿孔によって画像（２ｃ）を設けた真偽判別形成体（４ｂ）は、図９（ａ）に示すように、垂直方向から透過光で観察する場合は、画像（２ｃ１）、画像（２ｃ２）、画像（２ｃ３）及び画像（２ｃ４）が同時に視認され、図９（ｂ）に示すように図８で示したＸ１方向に傾けて観察する場合は、Ｙ１に規則的に配置された画像（２ｃ１）（この場合は１）、Ｙ３に規則的に配置された画像（２ｃ３）（この場合は３）及びＹ４側に規則的に配置された画像（２ｃ４）（この場合４）が視認され、図９（ｃ）に示すように図８で示したＸ２方向に傾けて観察する場合は、Ｙ２に規則的に配置された画像（２ｃ２）（この場合は２）、Ｙ３に規則的に配置された画像（２ｃ３）及びＹ４に規則的に配置された画像（２ｃ４）が視認され、図９（ｄ）に示すように図８で示したＸ３方向に傾けて観察する場合は、Ｙ１に規則的に配置された画像（２ｃ１）、Ｙ２に規則的に配置された画像（２ｃ２）及びＹ３側に規則的に配置された画像（２ｃ３）が視認され、図９（ｅ）に示すように図８で示したＸ４方向に傾けて観察する場合は、Ｙ１に規則的に配置された画像（２ｃ１）、Ｙ２に規則的に配置された画像（２ｃ２）及びＹ４に規則的に配置された画像（２ｃ４）が視認される。更に、例えば、Ｘ１方向からの観察角度を深めた場合、Ｙ１に規則的に配置された画像（２ｃ１）（この場合は１）のみが観察される。Ｘ２方向、Ｘ３方向、Ｘ４方向も同様である。
【００３５】
上記の真偽判別形成体（４ｂ）は、４つの画像を合成して第２の画像を形成しているが、４つ以上の画像を合成して第２の画像を形成しても良い。画像（２ｃ１）、画像（２ｃ２）、画像（２ｃ３）及び画像（２ｃ４）の４つの画像は、穿孔（３ａ）に対して上下左右に規則的に配置されているが、斜め方向に規則的に配置させてもよく、この場合、上下左右に規則的に配置された穿孔と斜めに規則的に配置させて穿孔を組み合わせて複数の画像を出現させることも可能である。また、画像（２ｃ１）、画像（２ｃ２）画像（２ｃ３）及び画像（２ｃ４）の４つの画像は、すべて異なっている画像を用いているが、同一の画像を用いても、同一の画像と異なった画像を組み合わせても良い。
【００３６】
以上、真偽判別形成体（４ａ）、（４ｂ）をまとめると、基材を貫通する穿孔による画像が、ｎ個の異なった画像を合成した穿孔によって構成され、ｎ１の第２の画像を構成する穿孔が、基材を貫通しない穿孔による第１の画像を構成する穿孔に対して、内在するように規則性をもって配置され、ｎ２、ｎ３、ｎ４…の第２の画像を構成する穿孔が、基材を貫通しない穿孔による第１の画像を構成する穿孔に対して、ｎ１の第２の画像を設けた領域以外で、基材を貫通しない穿孔に内在するように規則性をもって配置される必要がある。
【００３７】
図１０に基材（１ａ）に第１の画像（２ａ）を穿孔（３ａ）により形成した図及びそのＡ−Ａ’断面図を示す。図１０に示すように穿孔（３ａ）は基材を貫通することなく、一定の深さ又は複数に定められた深さに形成する必要がある。図１１に基材（１ａ）に第２の画像（２ｃ）のみを穿孔（３ｃ）により形成した図及びそのＡ−Ａ’断面図を示す。図１１に示すように穿孔（３ｃ）は基材を貫通する必要がある。図１０及び図１１に示した穿孔（３ａ）により形成した第１の画像（２ａ）及び穿孔（３ｃ）により形成した第２の画像（２ｃ）が施された真偽判別形成体（４ａ）及びそのＡ−Ａ’断面図を図１２及び図１３に示す。図１２及び図１３に示すように基材（１ａ）を貫通する穿孔（３ｃ）が、基材（１ａ）を貫通しない穿孔（３ａ）に接するようにして、規則的に配置される必要がある。この場合は、基材（１ａ）を貫通する穿孔（３ｃ）は、基材（１ａ）を貫通しない穿孔（３ａ）と外接し、穿孔（３ａ）の中心位置に対して左部に規則的に配置されているが、右部、上部又は下部等に配置しても本発明の効果を奏することができる。つまり、基材（１ａ）を貫通する穿孔（３ｃ）の位置は、基材（１ａ）を貫通しない穿孔（３ａ）の中心位置から特定方向及び特定距離に配置され、基材（１ａ）を貫通する穿孔（３ｃ）が、基材（１ａ）を貫通しない穿孔（３ａ）に外接していれば良い。図面では第１の画像（２ａ）と第２の画像（２ｃ）は異なる図柄で説明しているが同一の図柄でも良い。
【００３８】
図１４は、真偽判別形成体（４ｃ）を基材に対して垂直方向から透過光で観察した場合の図を示す。真偽判別形成体（４ｃ）を基材に対して垂直方向から透過光で観察した場合は、観察者は、基材（１ａ）を貫通しない穿孔（３ａ）で形成した第１の画像（２ａ）は基材と同じ色であるため、視認しにくい状況下にある。また、基材（１ａ）を貫通する穿孔（３ｃ）を透過してくる透過光量が強く認識されるため、基材（１ａ）を貫通する穿孔（３ｃ）による第２の画像（２ｃ）を視認することになる。真偽判別形成体（４ｃ）を反射光で観察した場合、基材（１ａ）を貫通しない穿孔（３ａ）で形成した第１の画像（２ａ）は基材と同じ色であるため、視認しにくい状況下にあり、基材（１ａ）を貫通する穿孔（３ｃ）を透過してくる透過光を認識できないため、第２の画像（２ｃ）を視認することはできない。
【００３９】
図１５（ａ）、（ｂ）、（ｃ）、（ｄ）は、真偽判別形成体（４ｃ）を、図１２に示したＸ１方向、Ｘ２方向、Ｘ３方向又はＸ４方向から観察した場合の図を示す。図１５（ａ）は、Ｘ１方向から観察した場合の図である。この場合、Ｘ１方向からは、基材（１ａ）を貫通する穿孔（３ｃ）と基材を貫通しない穿孔（３ａ）を透過してくる光を認識できるため、基材（１ａ）を貫通する穿孔（３ｃ）による第２の画像（２ｃ）を視認することができる（この場合は数字の１である）。図１５（ｂ）、（ｃ）、（ｄ）は、Ｘ２方向、Ｘ３方向、Ｘ４方向から観察した場合の図である。この場合、基材（１ａ）を貫通する穿孔（３ｃ）と基材（１ａ）を貫通しない穿孔（３ａ）を透過してくる光をほとんど認識できないため、基材（１ａ）を貫通する穿孔（３ｃ）による第２の画像（２ｃ）を視認することができない。
【００４０】
第２の画像の観察可能な方向については、図１７に示すように基材（１ａ）を貫通しない穿孔（３ａ）と基材（１ａ）を貫通する穿孔（３ｃ）の配置位置に依存する。つまり、図１６のＡ−Ａ’断面図に示すように、第１の画像（２ａ）を構成する基材（１ａ）を貫通しない穿孔（３ａ）に対して、第２の画像（２ｃ）を構成する基材（１ａ）を貫通する穿孔（３ｃ）がＹ１側に規則的に配置された場合は、透過光でＸ０方向、又は、透過光でＸ１方向から観察することが必要であり、Ｙ２側に規則的に配置された場合は、透過光でＸ０方向、又は、透過光でＸ２方向から観察することが必要である。
【００４１】
次に、透過光で異なる方向から、それぞれ画像が異なるパターンで視認できる真偽判別形成体（４ｄ）を図１８に示す。まず、基材には図１７に示すように基材を貫通しない穿孔（３ａ）で形成した第１の画像（２ａ）を設ける。図１８（ａ）乃至図１８（ｅ）に示すような異なる方向から異なる第２の画像を出現させるためには、図１７に示すように第２の画像（２ｃ１）、第２の画像（２ｃ２）、第２の画像（２ｃ３）及び第２の画像（２ｃ４）の４つの画像を合成して、基材（１ａ）を貫通する穿孔（３ｃ）によって第２の画像（２ｃ）を形成する必要があり、基材（１ａ）に設ける第２の画像（２ｃ）を構成した貫通する穿孔（３ｃ）は、基材（１ａ）を穿孔しない穿孔（３ａ）に外接して規則的に配置する必要がある。つまり、第２の画像（２ｃ１）、第２の画像（２ｃ２）、第２の画像（２ｃ３）及び第２の画像（２ｃ４）を形成する基材（１ａ）を貫通する穿孔（３ｃ）の位置は、基材（１ａ）を貫通しない穿孔（３ａ）の中心位置からそれぞれ異なる方向で特定距離に配置されてあれば良い。
【００４２】
観察方向については、基材（１ａ）を貫通する穿孔（３ｃ）が、図１７に示すように穿孔（３ａ）に対してＹ１位置に規則的に配置（この場合、画像２ｃ１）された場合は、透過光でＸ１方向から観察することが必要であり、Ｙ２位置に規則的に配置（この場合、画像２ｃ２）された場合は、透過光でＸ２方向から観察することが必要であり、Ｙ３位置に規則的に配置（この場合、画像２ｃ３）された場合は、透過光でＸ３方向から観察することが必要であり、Ｙ４位置に規則的に配置（この場合、画像２ｃ４）された場合は、透過光でＸ４方向から観察することが必要である。
【００４３】
よって、このような基材（１ａ）を貫通する穿孔によって画像（２ｃ）を設けた真偽判別形成体（４ｂ）は、図１８（ａ）に示すように、垂直方向から透過光で観察する場合は、画像（２ｃ１）、画像（２ｃ２）、画像（２ｃ３）及び画像（２ｃ４）が同時に視認され、図１８（ｂ）に示すように、図１７で示したＸ１方向から観察する場合は、Ｙ１に規則的に配置された画像（２ｃ１）（この場合は１）が視認され、図１８（ｃ）に示すように、図１７で示したＸ２方向から観察する場合は、Ｙ２に規則的に配置された画像（２ｃ２）（この場合は２）が視認され、図１８（ｄ）に示すように、図１７で示したＸ３方向から観察する場合は、Ｙ３側に規則的に配置された画像（２ｃ３）が視認され、図１８（ｅ）に示すように、図１７で示したＸ４方向から観察する場合は、Ｙ４に規則的に配置された画像（２ｃ４）が視認される。
【００４４】
上記の真偽判別形成体（４ｄ）は、４つの画像を合成して第２の画像を形成しているが、４つ以上の画像を合成して第２の画像を形成しても良い。画像（２ｃ１）、画像（２ｃ２）、画像（２ｃ３）及び画像（２ｃ４）の４つの画像は、穿孔（３ａ）に対して上下左右に規則的に配置されているが、斜め方向に規則的に配置させてもよく、この場合、上下左右に規則的に配置された穿孔と斜めに規則的に配置させて穿孔を組み合わせて複数の画像を出現させることも可能である。また、画像（２ｃ１）、画像（２ｃ２）画像（２ｃ３）及び画像（２ｃ４）の４つの画像は、すべて異なっている画像を用いているが、同一の画像を用いても、同一の画像と異なった画像を組み合わせても良い。
【００４５】
以上、真偽判別形成体（４ｃ）、（４ｄ）をまとめると、基材を貫通する穿孔による画像が、ｎ個の異なった画像を合成した穿孔によって構成され、ｎ１の画像を構成する穿孔が、基材を貫通しない穿孔による画像を構成する穿孔に対して、内在するように規則性をもって配置され、ｎ２、ｎ３、ｎ４…の画像を構成する穿孔が、基材を貫通しない穿孔による画像を構成する穿孔に対して、ｎ１の画像を設けた領域以外で、基材を貫通しない穿孔による画像を構成する穿孔に外接するように規則性をもって配置される必要がある。
【００４６】
次に、基材に対して垂直方向から透過光で観察した場合に立体的な画像が視認できる場合を示す。基材に対して垂直方向から透過光で観察した場合に立体的な像が視認できるようにするためには、基材を貫通する穿孔の配置に規則性を持たせる必要がある。図１９に示すように、基材を貫通する穿孔（３ｃ）による一対の第２の画像（２ｃ１、２ｃ２）は、基材を貫通しない穿孔（３ａ）に内在するように、基材を貫通しない穿孔（３ａ）の中心位置に対して規則性をもって左右、上下等の対称に設ける必要がある。さらに、基材を貫通する穿孔（３ｃ）による一対の第２の画像（２ｃ１、２ｃ２）を配置する位置は、観察者の両眼視差を考慮した位置に配置する必要がある。これは、穿孔（３ａ）と穿孔（３ｃ）によって視認可能な透過光の方向が制限されるといったパララックスバリア効果により発現される。ここで言う、パララックスバリアとは、バリア開口部を通過する視線角度が左右の眼によって異なる現象を利用し、例えば、二枚の画像を縦に細長く切断し、細長く切断した二枚の画像を交互に並べ、並べた画像の前に、開口部を有するバリアを配置することによって画像が立体的に視認される現象である。
【００４７】
基材を貫通する穿孔（３ｃ）による１対の画像（２ｃ１、２ｃ２）を、基材を貫通しない穿孔（３ａ）に内在するように、基材を貫通しない穿孔（３ａ）に対して対称に設けて作製した真偽判別形成体（４ｅ）は、図２０に示すように基材に対して垂直方向から透過光で観察した場合に、観察者の左眼には、基材を貫通しない穿孔（３ａ）の右側に設けた、基材を貫通する穿孔（３ｃ）による画像（２ｃ１）が視認され、観察者の右眼には、基材を貫通しない穿孔（３ａ）の左側に設けた、基材を貫通する穿孔（３ｃ）による画像（２ｃ２）が視認されることによって、基材を貫通する穿孔による第２の画像が立体的に視認される。
【００４８】
また、次に基材に対して垂直方向から透過光で観察した場合に立体的な画像が視認できる他の例を示す。基材に対して垂直方向から透過光で観察した場合に立体的な像が視認できるようにするためには、基材を貫通する穿孔の配置に規則性を持たせる必要がある。図２１に示すように、基材を貫通する穿孔（３ｃ）による一対の第２の画像（２ｃ１、２ｃ２）は、基材を貫通しない穿孔（３ａ）に外接するように、基材を貫通しない穿孔（３ａ）の中心位置に対して規則性をもって左右、上下等の対称に設ける必要がある。さらに、基材を貫通する穿孔（３ｃ）による一対の第２の画像（２ｃ１、２ｃ２）を配置する位置は、観察者の両眼視差を考慮した位置に配置する必要がある。
【００４９】
基材を貫通する穿孔（３ｃ）による１対の画像（２ｃ１、２ｃ２）を、基材を貫通しない穿孔（３ａ）に外接するように、基材を貫通しない穿孔（３ａ）に対して対称に設けて作製した真偽判別形成体（４ｆ）は、図２２に示すように基材に対して垂直方向から透過光で観察した場合に、観察者の左眼には、基材を貫通しない穿孔（３ａ）の右側に設けた、基材を貫通する穿孔（３ｃ）による画像（２ｃ１）が視認され、観察者の右眼には、基材を貫通しない穿孔（３ａ）の左側に設けた、基材を貫通する穿孔（３ｃ）による画像（２ｃ２）が視認されることによって、基材を貫通する穿孔による第２の画像が立体的に視認される。
【００５０】
上記記載の真偽判別形成体（４ａ、４ｂ、４ｃ、４ｄ、４ｅ、４ｆ）に記載されている内在、外接についての説明を図２３に示す。ここで言う内在とは、図２３（ａ）、図２３（ｂ）に示す通りである。図２３（ａ）は穿孔３ａ内に穿孔３ｃが内在している。この場合の内在は図２３（ｂ）に示すように穿孔３ａ内に穿孔３ｃが配置されていれば良く、接していなくても良い。また、第２の画像を形成する穿孔（３ｃ）は、第１の画像を形成する穿孔（３ａ）の半径内（Ｓ）に配置されていることが好ましい。ここで言う外接とは、図２３（ｃ）に示す通りである。図２３（ｃ）は穿孔３ａに穿孔３ｃが外接している。つまり、第１の画像を形成する穿孔（３ａ）と第２の画像を形成する穿孔（３ｃ）との関係は、穿孔（３ａ）の中心位置以外で穿孔（３ｃ）は形成されている必要があり更に、穿孔（３ａ）と穿孔（３ｃ）は、一部又は全部が重なっている必要がある。
【００５１】
上記記載の真偽判別形成体（４ａ、４ｂ、４ｅ）は１枚の基材に形成されているが、本発明はこれに限定されることなく、次の構成によっても本発明の効果を奏することができる。図２４（ａ）乃至（ｃ）に示すように第１の基材（１１ａ）と第２の基材（１１ｂ）を設ける２層構造にしても良い。この場合、第１の画像および第２の画像は基材を貫通する穿孔を用いる。図２４（ａ）は真偽判別形成体（４ａ）と同様な効果を示し、第１の基材（１１ａ）に第１の画像（２ａ）を構成する基材を貫通する穿孔（３ａ）を設け、第２の基材（１１ｂ）に第２の画像（２ｃ）を構成する基材を貫通する穿孔（３ｃ）を設けた構成である。図２４（ｂ）は真偽判別形成体（４ｂ）と同様な効果を示し、第１の基材（１１ａ）に第１の画像（２ａ）を構成する基材を貫通する穿孔（３ａ）を設け、第２の基材（１１ｂ）に第２の画像（２ｃ）を構成する基材を貫通する穿孔（３ｃ）を設けた構成である。図２４（ｃ）は真偽判別形成体（４ｅ）と同様な効果を示し、第１の基材（１１ａ）に第１の画像（２ａ）を構成する基材を貫通する穿孔（３ａ）を設け、第２の基材（１１ｂ）に第２の画像（２ｃ）を構成する基材を貫通する穿孔（３ｃ）を設けた構成である。第１の基材（１１ａ）と第２の基材（１１ｂ）は接着剤等で接着される。ただし、真偽判別形成体（４ａ、４ｂ、４ｅ）を２層構造で形成した場合、第１の基材を貫通する穿孔より第２の基材を貫通する穿孔の方が小さい径を有する必要がある。
【００５２】
例えば、基材が２層の積層体である真偽判別形成体（４ｇ）の場合において、任意の画像を消失させる場合を示す。基材の第１の基材（１１ａ）は、図２５に示した貫通する穿孔による第１の画像（２ａ）を用い、基材の第２の基材（１１ｂ）は、図２６に示した貫通する穿孔による第２の画像（２ｃ１、２ｃ２）を用いる。この２つの基材を精度良く貼合わせ、積層体にしたものを図２７に示す。基材に対して垂直方向から透過光で観察した場合は、第２の基材を貫通する穿孔による第２の画像（２ｃ１、２ｃ２）が全て視認することが出来、Ｘ１方向の透過光を観察すると、Ｙ１に規則的に配置された第２の画像（２ｃ１）のみが視認でき、Ｘ２方向の透過光を観察すると、Ｙ２に規則的に配置された第２の画像（２ｃ２）のみが視認できる。
【００５３】
上記の真偽判別形成体（４ｇ）は、２つの画像を合成して第２の画像を形成しているが、４つ以上の画像を合成して第２の画像を形成しても良い。図２７に示した２つの第２の画像（２ｃ１、２ｃ２）は、第１の基材の穿孔（３ｃ１）に対して左右に規則的に配置されているが、上下、斜め方向に規則的に配置させても良く、この場合、上下左右、斜めに規則的に配置させた穿孔を組み合わせて複数の画像を出現させることも可能である。また、第２の画像（２ｃ１、２ｃ２）を同一の画像にし、左右方向に距離を取ることにより立体的に視認されるものと、異なる画像を上下方向に組み合わせることも可能である。
【００５４】
本発明の穿孔はレーザ穿孔装置等で付与でき、形状は５０〜５００μｍが好ましい。穿孔の形状は積層体の厚みと表現したい画像の解像度や数と関係がある。当然、特定の領域に高い解像度の画像を表現する場合にはできるだけ小さな形状の穿孔が必要であるが、数十μｍ以下であると穿孔を作成する上で困難となる。また、大きな形状の穿孔を用いる場合は、表現できる画像が粗いものとなってしまう。
【００５５】
本発明の真偽判別形成体は、第１の画像、第２の画像に階調表現を付与することができ、その穿孔は貫通する穿孔（積層体の第１の基材の貫通する穿孔を除く）の粗密、大きさ、配置の少なくとも一つを変更すれば良い。
【００５６】
本発明の第２の画像を形成する穿孔が、第１の画像を形成する穿孔に内在する場合は、第２の画像を形成する穿孔の径は、第１の画像を形成する穿孔の径に対して１０〜３０％の大きさが好ましい。
【００５７】
本発明に用いる基材は、特に限定されることはなく、紙葉類、フィルム、プラスティック等を利用することができる。また、基材の厚さについても特に限定されることはないが、０．１２ｍｍから１．０ｍｍ程度が好ましい。
【００５８】
本発明の穿孔の形状は、特に限定されることはなく、円形、多角形及び特種な形状の穿孔の少なくとも一つで形成する必要がある。多角形又は特殊な形状の穿孔を用いることによって、複製されにくくなるため偽造防止効果が向上する。
【００５９】
本発明の第１の画像を構成する穿孔及び第２の画像を構成する穿孔が、基材に対して直角及び特定の角度で斜めの形状の少なくとも一つで形成することができる。特定の角度で斜めに形成した場合、複製されにくくなるため偽造防止効果が向上する。特定の角度で斜めの角度を深めると潜像が視認される観察角度も多少深くなる。
【００６０】
本発明の穿孔が、深さ方向に伴って、穿孔の直径が同一及び穿孔の直径が小さくなる形状の少なくとも一つで形成することによって、複製されにくくなるため偽造防止効果が向上する。
【００６１】
本発明の第２の画像が、文字、数字、記号及び絵柄の少なくとも１つであることにより、透過光で傾けて観察した場合に真偽判別効果が向上する。また、第１の画像及び第２の画像を同一のデザインにしても良い。
【００６２】
本発明の基材を貫通する穿孔により形成した穿孔群からなる第２の画像をカモフラージュするために穿孔を設けることによって、第２の画像が視認されてしまうことを防ぐことができる。カモフラージュの穿孔については図３９に示す。
【００６３】
本発明の真偽判別形成体において、光を透過するカラーフィルタ（例えば３色）を真偽判別形成体に積層することにより、任意の異なる色調を視認できるもできる。
【００６４】
本発明の第１の画像と第２の画像を形成する穿孔が基材に対して特定の角度で斜めに形成した場合の図を図２８に示す。穿孔の角度以外は真偽判別形成体（４ａ）と同様な構成を示す構成を図２８（ａ）に示す。穿孔の角度以外は真偽判別形成体（４ｂ）と同様な構成を示す構成を図２８（ｂ）に示す。穿孔の角度以外は真偽判別形成体（４ｅ）と同様な構成を示す構成を図２０（ｃ）に示す。図２８（ａ）及び図２８（ｂ）は、真偽判別形成体（４ａ、４ｂ）とは異なり、垂直方向から透過光で観察した場合に第２の画像は観察できないが、傾けて観察した場合に第２の画像が観察される。図２８（ｃ）の効果は真偽判別形成体（４ｅ）とは異なり、垂直方向から透過光で観察した場合に第１の画像は観察できないが、傾けて観察した場合に第２の画像が立体的に観察される。本発明の穿孔が、深さ方向に伴って、穿孔の直径が小さくなる形成する場合の図を図２９に示す。図２９は、切頭円錐の一例を示す。
【００６５】
以上の構成中の真偽判別形成体（４ａ、４ｂ、４ｃ、４ｄ、４ｅ、４ｆ）を概念的に簡単に整理すると、図３０に示す通りである。
【００６６】
【実施例】
以下、実施例を用いて本発明を更に詳細に説明するが、本発明の内容は、これらの実施例の範囲に限定されるものではない。
【００６７】
（実施例１）
厚さ約０．１５ｍｍの紙を１枚用意し、この紙に、直径０．４ｍｍの穿孔を０．８ｍｍの一定間隔で格子状にレーザ加工機によって紙を貫通させることなく一定の深さで第１の画像（Ａ）を施した（図３１参照）。またこの紙に、直径０．１ｍｍの穿孔を０．８ｍｍの一定間隔で、レーザ加工機によって紙を貫通させ、異なる４つの第２の画像（Ｂ１）、第２の画像（Ｂ２）、第２の画像（Ｂ３）、第２の画像（Ｂ４）を施した（図３１参照）。このとき、紙に施した第１の画像（Ａ）の穿孔に、紙に施した第２の画像を形成する穿孔を、内在して規則的に配置し、第１の画像（Ａ）の穿孔を基準として、第２の画像（Ｂ１）を形成している穿孔を右側（上側を０°とした場合、９０°）に規則的に配置し、第２の画像（Ｂ２）を形成している穿孔を右側（上側を０°とした場合、２７０°）に規則的に配置し、第２の画像（Ｂ３）を形成している穿孔を右側（上側を０°とした場合、０°）に規則的に配置し、第２の画像（Ｂ４）を形成している穿孔を右側（上側を０°とした場合、１８０°）に規則的に配置し、真偽判別形成体（Ｃ１）を作成した（図３１参照）。この真偽判別形成体（Ｃ１）を透過光で観察した場合には、垂直方向からは図３２（ａ）に示すように第２の画像（Ｂ１）、第２の画像（Ｂ２）、第２の画像（Ｂ３）、第２の画像（Ｂ４）が全て視認でき、Ｘ１方向から観察した場合は図３２（ｂ）に示すように第２の画像（Ｂ２）が消失し、Ｘ２方向から観察した場合は図３２（ｃ）に示すように第２の画像（Ｂ１）が消失し、Ｙ１方向から観察した場合は図３２（ｄ）に示すように、第２の画像（Ｂ４）が消失し、Ｙ２方向から観察した場合は図３２（ｅ）に示すように第２の画像（Ｂ３）が消失する。
【００６８】
（実施例２）
厚さ約０．１５ｍｍの紙を１枚用意し、この紙に、直径０．４ｍｍの穿孔を０．８ｍｍの一定間隔で格子状にレーザ加工機によって紙を貫通させることなく一定の深さで第１の画像（Ａ）を施した（図３３参照）。またこの紙に、直径０．１ｍｍの穿孔を０．８ｍｍの一定間隔で、レーザ加工機によって紙を貫通させ、異なる４つの第２の画像（Ｂ１）、第２の画像（Ｂ２）、第２の画像（Ｂ３）、第２の画像（Ｂ４）が形成されている画像（Ｂ）を施した（図３３参照）。このとき、紙に施した第１の画像（Ａ）の穿孔に、紙に施した第２の画像（Ｂ）を形成する穿孔を、外接して規則的に配置し、第１の画像（Ａ）の穿孔を基準として、第２の画像（Ｂ１）を形成している穿孔を右側（上側を０°とした場合、９０°）に規則的に配置し、第２の画像（Ｂ２）を形成している穿孔を右側（上側を０°とした場合、２７０°）に規則的に配置し、第２の画像（Ｂ３）を形成している穿孔を右側（上側を０°とした場合、０°）に規則的に配置し、第２の画像（Ｂ４）を形成している穿孔を右側（上側を０°とした場合、１８０°）に規則的に配置し、真偽判別形成体（Ｃ１）を作成した（図３３参照）。この真偽判別形成体（Ｃ１）を透過光で観察した場合には、垂直方向からは図３４（ａ）に示すように第２の画像（Ｂ１）、第２の画像（Ｂ２）、第２の画像（Ｂ３）、第２の画像（Ｂ４）が全て視認でき、Ｘ１方向から観察した場合は図３４（ｂ）に示すように第２の画像（Ｂ１）のみが視認でき、Ｘ２方向から観察した場合は図３４（ｃ）に示すように第２の画像（Ｂ２）のみが視認でき、Ｙ１方向から観察した場合は図３４（ｄ）に示すように、第２の画像（Ｂ３）のみが視認でき、Ｙ２方向から観察した場合は図３４（ｅ）に示すように第２の画像（Ｂ４）のみが視認できる。
【００６９】
（実施例３）
厚さ約０．３ｍｍの紙を１枚用意し、この紙に、直径０．４ｍｍの穿孔を０．８ｍｍの一定間隔で格子状にレーザ加工機によって紙を貫通させることなく一定の深さで第１の画像（Ａ）を施した（図３５参照）。またこの紙に、直径０．０８ｍｍの穿孔を０．８ｍｍの一定間隔で、レーザ加工機によって紙を貫通させる１対の第２の画像（Ｂ１、Ｂ２）を施した（図３５参照）。このとき、紙に施した第１の画像（Ａ）の穿孔に、紙に施した１対の第２の画像（Ｂ１、Ｂ２）を形成する穿孔を、内在して規則的に配置し、第１の画像（Ａ）の穿孔の中心から左側および右側０．０４ｍｍずらして規則的に配置し、真偽判別形成体（Ｃ３）を作成した（図３５参照）。この真偽判別形成体（Ｃ３）を、図３６に示すように、基材に対して垂直方向から透過光で、約３００ｍｍ離れた距離から観察した場合には、左眼と右眼にそれぞれ第２の画像（Ｂ１）と第２の画像（Ｂ２）が見えることから、第１の画像（Ａ）内に立体的な画像が視認することができた。
【００７０】
（実施例４）
厚さ約０．４５ｍｍの紙を１枚用意し、この紙に、直径０．１ｍｍの穿孔を０．８ｍｍの一定間隔で格子状にレーザ加工機によって紙を貫通させることなく一定の深さで第１の画像（Ａ）を施した（図３７参照）。またこの紙に、直径０．０８ｍｍの穿孔を０．８ｍｍの一定間隔で、レーザ加工機によって紙を貫通させる１対の第２の画像（Ｂ１、Ｂ２）を施した（図３７参照）。このとき、紙に施した第１の画像（Ａ）の穿孔に、紙に施した１対の第２の画像（Ｂ１、Ｂ２）を形成する穿孔を、外接するように規則的に配置し、真偽判別形成体（Ｃ４）を作成した（図３７参照）。この真偽判別形成体（Ｃ４）を、図３８に示すように、基材に対して垂直方向から透過光で、約３００ｍｍ離れた距離から観察した場合には、左眼と右眼にそれぞれ第２の画像（Ｂ１）と第２の画像（Ｂ２）が見えることから、第１の画像（Ａ）内に立体的な画像が視認することができた。
【００７１】
以上、本発明の実施例に基づいて説明したが、本発明はこの実施例に限定されるものではなく、特許請求の範囲記載における技術的思想の範囲内であれば、その他のいろいろな実施の形態が考えられる。
【００７２】
【発明の効果】
基材を貫通しない穿孔により形成した穿孔群と、基材を貫通する穿孔により形成した穿孔群からなる画像を設け、画像を形成する基材を貫通する穿孔群の個々の穿孔位置は、基材を貫通しない穿孔群の個々の穿孔位置に対応して配置することによって、透過光で観察した場合に、観察角度によって、明瞭な第２の画像の出現、多方向から異なる第２の画像の出現又は消失、立体的な第２の画像の出現がされるため、真偽判別効果の高い、改ざん、複製防止効果のある真偽判別形成体と成り得、銀行券、通行券、パスポート、カード等の偽造、複写、改ざんを防止する必要性のある貴重印刷物に適用することができる。
【００７３】
また、を貫通する穿孔により形成した穿孔群を有する第１の基材と、貫通する穿孔により形成した穿孔群からなる画像を有する第２の基材からなる、第２の基材に有する画像を形成する穿孔群の個々の穿孔位置は、第１の基材に有する穿孔群の個々の穿孔位置に対応して配置されるように、順次積層することによって、透過光で観察した場合に、観察角度によって、明瞭な第２の画像の出現、多方向から異なる第２の画像の出現又は消失、立体的な第２の画像の出現がされるため、真偽判別効果の高い、改ざん、複製防止効果のある真偽判別形成体と成り得、銀行券、通行券、パスポート、カード等の偽造、複写、改ざんを防止する必要性のある貴重印刷物に適用することができる。
【００７４】
デザイン上、異なる複数の観察方向により第２の画像を出現させることが可能であり、真偽判別装置等を用いることなく誰でもその場で真偽判別することができる。また、本デバイスを偽造、改竄しようとした場合、基材を貫通する穿孔と基材を貫通しない穿孔の位置関係、又は、第１の基材を貫通する穿孔と第２の基材を貫通する穿孔の位置関係を忠実に再現する必要があり、微細な穿孔自体の再現のみならず、それらの配置までも再現することは非常に困難となる。
【００７５】
本発明の真偽判別形成体はレーザを垂直に照射し、且つ、基材を水平方向に自動搬送するような大量生産ラインを構成する装置でも作製でき、基材に斜め穿孔を形成しなくとも潜像画像を形成できるため、複雑な加工機を用いることなく作製できる。
【００７６】
【図面の簡単な説明】
【図１】基材（１ａ）に第１の画像（２ａ）を穿孔（３ａ）により形成した図及びそのＡ−Ａ’断面図である。
【図２】基材（１ａ）に第２の画像（２ｃ）を穿孔（３ｃ）により形成した図及びそのＡ−Ａ’断面図である。
【図３】真偽判別形成体（４ａ）及びそのＡ−Ａ’断面図である。
【図４】真偽判別形成体（４ａ）の透過光の方向を示す図である。
【図５】真偽判別形成体（４ａ）を垂直方向から透過光で観察した場合を示す図である。
【図６】真偽判別形成体（４ａ）に対して角度を変えて透過光で観察した場合の図である。
【図７】観察可能な方向についての説明図である。
【図８】貫通しない穿孔（３ａ）で形成した第１の画像（２ａ）と、貫通する穿孔（３ｃ）で形成した第２の画像（２ｃ１）、第２の画像（２ｃ２）、第２の画像（２ｃ３）、第２の画像（２ｃ４）の４つの画像を設けた真偽判別形成体（４ｂ）を示す図である。
【図９】真偽判別形成体（４ｂ）を透過光で図８に示した垂直方向から透過光で観察、Ｘ１方向、Ｘ２方向、Ｘ３方向、Ｘ４方向に傾けた場合の図である。
【図１０】基材（１ａ）に第１の画像（２ａ）を穿孔（３ａ）により形成した図及びそのＡ−Ａ’断面図である。
【図１１】基材（１ａ）に第２の画像（２ｃ）を穿孔（３ｃ）により形成した図及びそのＡ−Ａ’断面図である。
【図１２】真偽判別形成体（４ｃ）及びそのＡ−Ａ’断面図である。
【図１３】真偽判別形成体（４ｃ）の透過光の方向を示す図である。
【図１４】真偽判別形成体（４ｃ）を垂直方向から透過光で観察した場合を示す図である。
【図１５】真偽判別形成体（４ｃ）に対して図１２に示すＸ１方向、Ｘ２方向、Ｘ３方向、Ｘ４方向から透過光で観察した場合の図である。
【図１６】観察可能な方向についての説明図である。
【図１７】貫通しない穿孔（３ａ）で形成した第１の画像（２ａ）と、貫通する穿孔（３ｃ）で形成した第２の画像（２ｃ１）、第２の画像（２ｃ２）、第２の画像（２ｃ３）、第２の画像（２ｃ４）の４つの画像を設けた真偽判別形成体（４ｄ）を示す図である。
【図１８】真偽判別形成体（４ｄ）を透過光で図１７に示した垂直方向から透過光で観察、Ｘ１方向、Ｘ２方向、Ｘ３方向、Ｘ４方向に傾けた場合の図である。
【図１９】貫通しない穿孔（３ａ）で形成した第１の画像（２ａ）と、貫通する穿孔（３ｃ）で形成した一対の第２の画像（２ｃ１、２ｃ２）を設けた真偽判別形成体（４ｅ）及びそのＡ−Ａ’断面図を示す図である。
【図２０】真偽判別形成体（４ｅ）の立体像が視認される原理を示す図である。
【図２１】貫通しない穿孔（３ａ）で形成した第１の画像（２ａ）と、貫通する穿孔（３ｃ）で形成した一対の第２の画像（２ｃ１、２ｃ２）を設けた真偽判別形成体（４ｅ）及びそのＡ−Ａ’断面図を示す図である。
【図２２】真偽判別形成体（４ｅ）の立体像が視認される原理を示す図である。
【図２３】本発明の内在及び外接の説明図である。
【図２４】第１の基材（１１ａ）と第２の基材（１１ｂ）を設ける２層構造を示す図である。
【図２５】第１の基材（１１ａ）に第１の画像（２ａ）を穿孔（３ｃ）により形成した図である。
【図２６】第２の基材（１１ｂ）に第２の画像（２ｃ）を穿孔（３ｃ）により形成した図である。
【図２７】第１の基材（１１ａ）と第２の基材（１１ｂ）を積層した真偽判別形成体（４ｇ）である。
【図２８】基材に対して特定の角度で斜めに形成した場合の図である。
【図２９】本発明の穿孔が、深さ方向に伴って、穿孔の直径が小さくなる場合の図である。
【図３０】真偽判別形成体（４ａ、４ｂ、４ｃ、４ｄ、４ｅ、４ｆ）を概念的に簡単に整理した図である。
【図３１】紙を貫通しない穿孔により施した第１の画像（Ａ）及び紙を貫通する穿孔により施した第２の画像（Ｂ１）、第２の画像（Ｂ２）、第２の画像（Ｂ３）及び第２の画像（Ｂ４）から成る真偽判別形成体（Ｃ１）を示す図である。
【図３２】真偽判別形成体（Ｃ１）を図２４に示した方向から透過光で観察した場合を示す図である。
【図３３】紙を貫通しない穿孔により施した第１の画像（Ａ）及び紙を貫通する穿孔により施した第２の画像（Ｂ１）、第２の画像（Ｂ２）、第２の画像（Ｂ３）及び第２の画像（Ｂ４）から成る真偽判別形成体（Ｃ２）を示す図である。
【図３４】真偽判別形成体（Ｃ１）を図２６に示した方向から透過光で観察した場合を示す図である。
【図３５】紙を貫通しない穿孔により施した第１の画像（Ａ）及び紙を貫通する穿孔により施した一対の第２の画像（Ｂ１、Ｂ２）から成る真偽判別形成体（Ｃ３）を示す図である。
【図３６】真偽判別形成体（Ｃ３）で立体像が視認される観察方向を示す図である。
【図３７】紙を貫通しない穿孔により施した第１の画像（Ａ）及び紙を貫通する穿孔により施した一対の第２の画像（Ｂ１、Ｂ２）から成る真偽判別形成体（Ｃ３）を示す図である。
【図３８】真偽判別形成体（Ｃ４）で立体像が視認される観察方向を示す図である。
【図３９】本発明のカモフラージュ穿孔を示す図である。
【図４０】本発明で言う特定方向の図である。
【符号の説明】
１ａ          基材
２ａ          第１の画像
２ｃ、２ｃ１、２ｃ２、２ｃ３、２ｃ４          第２の画像
３ａ          基材を貫通しない穿孔
３ｃ、３ｃ１、３ｃ２、３ｃ３、３ｃ４          基材を貫通する穿孔
４ａ、４ｂ、４ｃ、４ｄ、４ｅ、４ｆ、４ｇ          真偽判別形成体
Ａ          第１の画像
Ｂ、Ｂ１、Ｂ２、Ｂ３、Ｂ４          第２の画像
Ｃ１、Ｃ２、Ｃ３、Ｃ４                    真偽判別形成体
１１ａ          第１の基材
１１ｂ          第２の基材
Ｓ  カモフラージュ穿孔
【図１】
2005001344.tif 000003
【図２】
2005001344.tif 000004
【図３】
2005001344.tif 000005
【図４】
2005001344.tif 000006
【図５】
2005001344.tif 000007
【図６】
2005001344.tif 000008
【図７】
2005001344.tif 000009
【図８】
2005001344.tif 000010
【図９】
2005001344.tif 000011
【図１０】
2005001344.tif 000012
【図１１】
2005001344.tif 000013
【図１２】
2005001344.tif 000014
【図１３】
2005001344.tif 000015
【図１４】
2005001344.tif 000016
【図１５】
2005001344.tif 000017
【図１６】
2005001344.tif 000018
【図１７】
2005001344.tif 000019
【図１８】
2005001344.tif 000020
【図１９】
2005001344.tif 000021
【図２０】
2005001344.tif 000022
【図２１】
2005001344.tif 000023
【図２２】
2005001344.tif 000024
【図２３】
2005001344.tif 000025
【図２４】
2005001344.tif 000026
【図２５】
2005001344.tif 000027
【図２６】
2005001344.tif 000028
【図２７】
2005001344.tif 000029
【図２８】
2005001344.tif 000030
【図２９】
2005001344.tif 000031
【図３０】
2005001344.tif 000032
【図３１】
2005001344.tif 000033
【図３２】
2005001344.tif 000034
【図３３】
2005001344.tif 000035
【図３４】
2005001344.tif 000036
【図３５】
2005001344.tif 000037
【図３６】
2005001344.tif 000038
【図３７】
2005001344.tif 000039
【図３８】
2005001344.tif 000040
【図３９】
2005001344.tif 000041
【図４０】
2005001344.tif 000042